(57)【要約】      （修正有）【課題】    １０分から２０分程度のごく短い時間において実施されるリスニング・テストに相応する簡易な解答法と、その結果得られた被検定者の解答結果の、まぐれ当りをマイナス補正し、音声言語が有する曖昧さに由来する判定の困難さから、一定程度の言語理解力が推定される被検定者の解答結果をプラス補正し、短時間テストの持つ信頼度を補う公正な評価法を提供する。【解決手段】解答は被検定者に択一式解答群から正解を選択させるための電磁的入力手段７を備える被検定者が操作する端末装置１を有するシステム環境上で実施して、被検定者自身が操作する電磁的入力手段７をもって、電磁的表示表示手段６に表示された解答群の、それぞれの解答に対応する符号を選択し入力して解答する。移動体通信を含むコンピュータ・ネットワーク２を経由して、被検定者ごと、設問ごとに集積された解答は、採点者により配点補正基準に基づき補正され、採点、評価が実施される。【選択図】図１
2007256895.tif 000002
【特許請求の範囲】
【請求項１】
外国語能力の簡易な検定及びその結果の評価方法において、予め想定した難易度級ごとに作成された問題文とその問題文に対応する択一式解答群及びそれぞれの解答に付した符号をひとつの設問として設問番号を付し、それぞれの難易度級から任意の比率にもとづいて任意の数の設問を抽出し、それらを無作為にあるいは任意の順序によって組み合わせてひとつの設問集とし、当該外国語を母国語とする者によって読み上げた複数の設問集を電磁的設問音声データベースとして電磁的記憶手段に保存し、該電磁的設問音声データベースから任意に抽出した設問集を外国語能力検定の被検定者が操作する電磁的端末装置が備える電磁的放音手段、あるいは当該検定が実施される会場に設置された電磁的放音手段により放音し、同時に設問に対応した設問番号と解答群中の個々の解答に付された符号を電磁的端末装置が有する電磁的表示手段によって表示し、被検定者には表示された解答群のうちから正解と思われる解答に付された符号を電磁的入力手段によって選択、入力させて、電磁的端末装置及びコンピュータ・ネットワークを経由して回収された被検定者の設問ごとの解答データは、予め設定した配点補正基準によって補正を施して採点し、評価するものであることを特徴とする外国語能力評価方法。
【請求項２】
請求項１記載の択一式解答群は、
イ．  文法も適切であり、慣用表現も正しく用いられ、論理的にも明快で完全なコミュニ      ケーションが成り立つ
ロ．  文法、あるいは慣用表現、あるいは論理的に、あるいはそのいずれにも軽度の間違      いや不適切さ、曖昧さが見られるものの、コミュニケーションという見地からは十      分意味が通ずる
ハ．  設問は理解していると推定できるが、解答内容が文法、あるいは慣用表現、あるい      は論理的に、あるいはそのいずれにも重大な間違いや、不適切さ、矛盾がみられ、      評価できない
ニ．  設問の理解度を測るために意図的に混入させた解答文であって、設問の意味をまっ      たく理解しておらず、解答内容がまったくの的外れであり、文法的にも当該外国語      として不自然な体裁をなしている
という４種類の性格づけが施された解答文からなり、イ相当の解答文の記述を必須として、その他の符号、すなわちロ、及びハ、及びニに相当する解答文は、理解度を測定するためという設問意図にもとづく比率で記述したものを１群とし、加えて、作為のない配列であることを特徴とする外国語能力評価方法。
【請求項３】
請求項１記載の配点補正基準は、択一式解答法の欠点である、いわゆる、まぐれ当りを排除するために、同一設問集の難易度級が高い設問において、請求項２記載のイ相当の解答を選択しているにもかかわらず、難易度級が低い設問において請求項２記載のニ相当の解答を選択していた場合には、請求項２記載のイの選択はまぐれ当りであると判定して、当該設問の減点補正によって、請求項２記載のイの選択による得点を減点し、あるいは設問の解答に請求項２記載のロが多く見られ、結果として同一設問集の合計正解率が、択一式解答方法においては不可避な確率的正解率を下回るような正解数であった場合には、正解には至らぬまでも一定程度の設問の理解が推定されるものとして、当該設問集に対して加点補正することを特徴とする外国語能力評価方法。
【請求項４】
請求項２記載の設問意図に基づく比率は、請求項１記載の設問ごとの難易度級を設定するために、高難易度級の設問においては、請求項２記載の、イ相当の解答文の記述を１文必須として、請求項２記載の、ロ相当の解答文の記述比率を高め、低難易度級の設問においては、請求項２記載の、イ相当の解答文の記述を１文必須として、請求項２記載の、ニ相当の解答文の記述比率を高めるものであることを特徴とする外国語能力評価方法。
【発明の詳細な説明】
【技術分野】
【０００１】  本発明は、外国語能力の検定結果の評価法に関するものであり、同時に、先願「外国語会話聞き取り能力検定法及びコンピュータ・ソフトウェアとそれらを記録した電磁記録媒体」を補足するものである。【０００２】  上記の先願については特許文献が開示されている。
【特許文献】特開２００５−３７８５３号公報
【背景技術】
【０００３】  例えば、日本国内においては、財団法人日本英語検定協会が運営する英語検定１級、同２級、財団法人国際ビジネスコミュニケーション協会が運営するＴＯＥＩＣ、大学入試のためのセンター試験などを筆頭に６３もの、公式あるいは準公式な英語能力検定が存在している。【０００４】  それらのほとんどは、特定の目的のもとに実施されるものであり、また、その検定内容は、日常の生活環境において自然に習得される能力、すなわち「聞く」、「話す」、と知的学習によって習得される能力、すなわち「読む」、「書く」のすべて、あるいは、それらのうちの複数を組み合わせたものであって、その能力測定には必然的に長時間を要している。【０００５】  上述の検定を受けようとするものは、各自の目的と能力に合わせて、いくつもの検定を受ける必要が生じ、検定会場に赴く不便さや、時間的な不都合を生じる原因となっている。【０００６】  これらの不便さや、不都合を解決するために、先願（特開２００５−３７８５３号公報）において、１０分から２０分程度のごく短時間において、当該外国語を母国語とする者を含め、あらゆる能力レベルの被検定者に対応する外国語能力の検定方法が開示されているが、その先願の背景によれば、通常、身体的、精神的健常者においては、「聞く」、「話す」、「読む」、「書く」の４つからなる言語能力のうち、いずれかひとつが突出して、能力が高い、あるいは、低いことはありえず、したがって、そのうちのひとつの能力を測定することによって他の能力も推定されるということから、「聞く」能力の測定、いわゆるリスニング・テストに特化している。【０００７】  また、前記先願内容は、コンピュータ・ソフトウェア、および電磁記録媒体に言及しており、当然にサーバーを含むコンピュータ、あるいはコンピュータ・ネットワークの利用が前提となっているが、被検定者の解答法と、検定結果の評価法には言及していない。
【発明の開示】
【発明が解決しようとする課題】
【０００８】  上記の背景に鑑み、１０分から２０分程度のごく短い時間において実施されるリスニング・テストに相応する選択式による簡易な解答法と、その結果得られた被検定者の解答結果の、まぐれ当りを減点補正し、音声言語が有する厳格な正解ならびに不正解の境界の曖昧さに由来する判定の困難さから、一定程度の言語理解力が推定される被検定者の解答結果を加点補正し、短時間テストの持つ信頼度を補い、すべての被検定者が納得する公平な評価法を提供する。
【課題を解決するための手段】
【０００９】  電磁的音声データベースに蓄えられた設問集を管理運用するためのコンピュータ、及び電磁的音声データベースを記録した電磁的記憶手段、あるいは電磁記録媒体、あるいは外部記憶手段、及び移動体通信を含むコンピュータ・ネットワーク、及び設問を放音するための電磁的放音手段と、設問番号と、それぞれの解答に付された符号を表示するための電磁的表示手段と、被検定者に択一式解答群から正解を選択させるための電磁的入力手段とを備える被検定者が操作する端末装置を有するシステム環境上で実施する。【００１０】  問題文は当該言語を母国語とする者により、一定時間の間隔をもって読み上げられ、被検定者自身が操作する電磁的入力手段をもって、電磁的表示表示手段に表示された解答群の、それぞれの解答に対応する符号を選択し入力して解答する。【００１１】  移動体通信を含むコンピュータ・ネットワークを経由して、被検定者ごと、設問ごとに集積された解答は、採点者により配点補正基準に基づき補正され、採点、評価が実施される。
【発明の効果】
【００１２】  本発明は、以下に記載されるような効果を奏する。
あらゆる目的と能力レベルを有する被検定者の能力検定が、端末装置とコンピュータ・ネットワークを備えるシステム環境上で、ごく短い時間に検定と評価が実施されるため、物理空間的制約や時間的制約から解放されるうえ、まぐれ当りや、音声言語が有する、曖昧さに由来する正否判定の困難さなどに配慮した、すべての被験者が納得する公平な評価がなされる。
【発明を実施するための最良の形態】
【００１３】  移動体通信を含む、コンピュータ・ネットワークに接続した、電磁的放音手段と、電磁的表示手段と、電磁的入力手段とを備える端末装置によって、リスニング・テストを実施、設問番号と設問ごとに請求項２記載の性格付けをもって記述された解答群中のそれぞれの解答に対応する符号を、被検定者が操作する電磁的表示手段、いわゆるモニターや携帯電話機の表示画面にブラウザによって表示して、被検定者自身に正解と思われる解答に対応する符号を選択、入力させる。この場合は、チェック・ボックスなどを利用して、簡易な操作での便宜を図ることは言うまでもない。【００１４】  移動体通信を含む、コンピュータ・ネットワークによって、サーバーに、被検定者ごと、及び設問番号ごとに集積された解答は、採点者によって、請求項３記載の配点補正基準に従って、補正され、採点され、評価されて、その結果が被検定者に通知される。【００１５】  配点補正基準は請求項３記載によって、設問ごとに加点補正、あるいは減点補正がなされるが、その補正にあたっては同一設問集の、他の設問の正誤傾向が考慮される。【００１６】  検定の測定精度の向上を図るためには、初回に中難易度の設問集による検定を実施して、被検定者の偏差値を検出し、以後、被検定者の偏差値を与件として、問題の難易度を被検定者の偏差値に応じて設定し、複数回、実施することが望ましい。
【実施例１】
【００１７】  請求項１の実施例を図面に基づいて説明する。
図１は本発明が実施されるシステム環境を示す概略図であって、被検定者が操作する端末装置１は、電磁的放音手段５、電磁的表示手段６、電磁的入力手段７を備え、音声による設問集を格納した電磁的音声データベース４と、該電磁的音声データベースを管理するサーバー３と、該サーバー３と被検定者が操作する端末装置１はコンピュータ・ネットワーク２によって接続され、サーバー３には、被検定者から寄せられた解答を閲覧して、補正を施し、採点して評価する採点者のための端末装置８が接続されている。【００１８】  被検定者から寄せられた設問集の各設問に対する解答は、設問番号とともに、請求項２記載の符号の一覧Ａとして表示され、端末装置８を操作する採点者は、模範解答を照合しながら、配点補正基準Ｓによって、配点補正結果Ａ′を得る。
この補正操作を概念的に示したのが図２である。
【実施例２】
【００１９】  請求項２によって、性格付けした解答文を、無作為に配列した例を示したのが図３であって、解答文を無作為に配列したものを択一式解答群９とし、１つの解答群のなかの解答文の数は任意とする。但し、１つの解答群中における、請求項２によって性格付けされた文の記述比率は、請求項４、あるいは後段の表２に示した例に従うのが望ましい。【００２０】  前段による解答群を携帯電話機の表示部に設問番号とともにチェック・ボックスによる選択画面として表示した例を示したのが図４である。
【実施例３】
【００２１】  請求項１及び請求項３記載の配点補正基準の例を表１に示す。
【表１】
2007256895.tif 000003
【実施例４】
【００２２】  請求項１及び請求項４記載の設問意図は、設問ごとに難易度レベル設定を施して、ものの酸性度を測るリトマス・テストのごとく、あらゆる能力レベルの被検定者に公平に対応することを意図するもので、解答群に設問の難易度に応じて記述する請求項２記載の符号イ、ロ、ハ、ニに対応する、それぞれに性格付けをされた解答文の記述比率の例を表２に示す。
【表２】
2007256895.tif 000004
【００２３】  難易度級の設定は、表１にこだわらず任意の数の級区分とし、解答群中の解答の数も、イ、ロ、ハ、ニの４種の解答を含む任意の数とするが、いずれの場合においてイ相当の解答文は１文のみ必須とする。【００２４】  設問集の設計に際しては、リトマス・テストの如く、いかなる能力を有する被検定者にも対応するよう、なおかつ、その後の学習向上意欲や自信を喪失させることのないよう、得点の上限、あるいは下限に達することが困難な設問の組み合わせをおこなう。
例えば、設問２０問で偏差値６０程度の設問集を作成する場合には、高難易度級の設問の挿入は当然として、低難易度の設問も少数混入させる。
【産業上の利用可能性】
【００２５】  グローバル化したビジネス社会において、そこでビジネスに従事する者にとっては、特に英語によるコミュニケーション力が必須条件となっている。
そのような状況下にあって、企業の側が社員に対し、英語によるコミュニケーション力向上のためにさまざま語学研修を実施しているが、業務の傍ら、その成果を測定することは従来の方法では、時間的にも、費用的にも困難をともなっていた。
先願（特開２００５−３７８５３号公報）によって、１０分から２０分程度のごく短い時間で、なおかつ、モバイル環境で、能力レベルを問わず、社員の外国語能力の公平な測定方法が提案されたが、その測定結果の評価においては、本発明によって、まぐれ当りの排除や、不運な誤解答の救済が図れる。
【図面の簡単な説明】
【００２６】
【図１】本発明のシステム環境を示す概略図である。（実施例１）
【図２】補正操作を概念的に示した図である。（実施例１）
【図３】請求項２によって、性格付けした解答文を、無作為に配列した例を示した図である。（実施例２）
【図４】携帯電話機の表示部に設問番号とともにチェック・ボックスによる選択画面として表示した例を示した図である。（実施例２）
【符号の説明】
【００２７】    １  被験者が操作する端末装置
２  コンピュータ・ネットワーク
３  サーバー
４  電磁的音声データベース
５  電磁的放音手段
６  電磁的表示手段
７  電磁的入力手段
８  採点者用端末装置
Ａ  被検者からの解答一覧
Ａ′配点補正結果
Ｓ  配点補正基準
【図１】
2007256895.tif 000005
【図２】
2007256895.tif 000006
【図３】
2007256895.tif 000007
【図４】
2007256895.tif 000008